(57)【要約】　　　（修正有）【課題】入力装置を液晶上面に搭載した液晶ディスプレイ装置の傾向としては、画面サイズの大型化に伴い、表示駆動周波数の高周波化が進み、不要輻射（ノイズ）は拡大傾向にある。【解決手段】液晶パネル１と、アナログ−デジタル変換基板２と、前記液晶パネル１と前記アナログ−デジタル変換基板２を接続するデジタル信号伝送ケーブル３において、前記液晶パネル１と前記アナログ−デジタル変換基板２を第一の導電性筐体９に、互いに逆方向に取り付け、回路基準電位と導電性筐体６を接地し、前記デジタル信号伝送ケーブル３は第一の筐体を貫通し、前記液晶パネル１と前記アナログ−デジタル変換基板２を接続し、前記アナログ−デジタル変換基板２と前記デジタル信号伝送ケーブル３とは、第二の導電性筐体１０で覆ったことを特徴とする入力装置搭載の液晶ディスプレイ装置。【選択図】　図１
2004039668.tif 000002
【特許請求の範囲】
【請求項１】
液晶パネルと、アナログ−デジタル変換基板と、前記液晶パネルと前記アナログ−デジタル変換基板を接続するデジタル信号伝送ケーブルにおいて、前記液晶パネルと前記アナログ−デジタル変換基板を第一の導電性筐体に、互いに逆方向に取り付け、回路基準電位と導電性筐体を接地し、前記デジタル信号伝送ケーブルは第一の筐体を貫通し、前記液晶パネルと前記アナログ−デジタル変換基板を接続し、前記アナログ−デジタル変換基板と前記デジタル信号伝送ケーブルとは、第二の導電性筐体で覆ったことを特徴とする入力装置搭載の液晶ディスプレイ装置。
【請求項２】
前記デジタル信号伝送ケーブルは、高周波成分減衰機能を有する磁性材リングを取り付けたことを特徴とする請求項１記載の入力装置搭載の液晶ディスプレイ装置。
【請求項３】
前記デジタル信号伝送ケーブルは、高周波成分減衰機能を有する磁性材リングの取り付けにおいて、第一のリングを前記アナログ−デジタル変換基板近くに配置し、第二のリングを前記液晶パネルの近くに配置したことを特徴とする請求項１記載の入力装置搭載の液晶ディスプレイ装置。
【発明の詳細な説明】
【０００１】
【産業上の利用分野】
本発明は入力装置を液晶上面に搭載した液晶ディスプレイ装置に関し、特に、その電磁環境両立性対策に関する。
【０００２】
【従来の技術】
従来、各種の電気・電子装置から不要に放射される電磁波（いわゆる不要輻射）に起因して、周辺の電気・電子装置が障害を起こすことが問題となっており、電気・電子装置の電磁環境両立性（ＥＭＣ；Ｅｌｅｃｔｒｏ−ＭａｇｎｅｔｉｃＣｏｍｐａｔｉｂｉｌｉｔｙ）が重要とされている。このＥＭＣには、電気・電子装置が外部に対して悪影響を及ぼす電磁気的妨害（ＥＭＩ；Ｅｌｅｃｔｒｏ−Ｍａｇｎｅｔｉｃ　Ｉｎｔｅｒｆｅｒｅｎｃｅ）と、外部からの電磁気的妨害に耐えるイミュニティ（Ｅｌｅｃｔｒｏ−Ｍａｇｎｅｔｉｃ　Ｓｕｓｃｅｐｔｉｂｉｌｉｔｙ）とがある。
国内においては、情報処理装置等電波障害自主規制協議会（ＶＣＣＩ）の基準に適合するようになされている。
【０００３】
液晶パネルを使用した映像表示装置などの場合、表示素子の各画素を制御するパルスの動作周波数が高いため、液晶パネル自身が不要輻射（ノイズ）を発生している。また、液晶パネルを駆動する駆動回路基板及び駆動回路基板と液晶パネルを接続するケーブルからも不要輻射（ノイズ）は発生する。
【０００４】
従来の映像表示装置に対するＥＭＩ対策の代表的なものとしては、例えば、液晶パネル、駆動回路基板、ケーブル全体を導電体で覆うことにより、電磁気的に遮蔽（シールド）することが講じられる。具体的な映像表示装置のシールド方法として、表示前面に透明の導電膜を取り付け、その周囲を導電性筐体で覆い、導電膜と導電性筐体との間に導電性ゴムを挟みこみ接続することで電磁気的に遮蔽し、不要輻射（ノイズ）を低減している。
【０００５】
しかしながら、入力装置（具体的には透明デジタイザ）を液晶上面に搭載した液晶ディスプレイ装置では、例えば、シールドするための透明の導電膜と、透明電極をガラスに蒸着した透明デジタイザ及び保護ガラスを取り付けることで透過率が極端に低下することとなり、鮮明な表示品質は得られない。また、静電結合方式の透明デジタイザの場合、デジタイザ上面に導電体を取り付ければ信号は検出できない。また、デジタイザ下部に取り付けた場合、信号は減衰しやすくＳ／Ｎ比が低下してしまう不具合があった。そのため、際だった対策は実施せずに何とか上記ＥＭＣ基準レベル範囲内に入っていた。
【０００６】
図２を参照しながら、従来の入力装置（透明デジタイザ）搭載の液晶ディスプレイ装置の一例について説明する。
【０００７】
入力装置（図示したものは、透明デジタイザ）搭載の液晶ディスプレイ装置１３は、導電性筐体６内に、アナログ−デジタル変換基板２と透明タッチパネル制御基板（図示せず）が、導電性支持部材５を介して取り付けられる。導電性筐体６及び導電性支持部材５の材質は、電気亜鉛メッキ鋼板（ＳＥＣＣ）の導電体であり、電磁気的に遮蔽（シールド）効果は高い。また、アナログ−デジタル変換基板２と透明タッチパネル制御基板（図示せず）の基準電位（ＧＮＤ）は導電性支持部材５を介して導電性筐体６に接続され、回路の基準電位は導電性筐体６と同電位となる。
【０００８】
また液晶パネル１は、導電性筐体６から導電性支持部材４を介して取り付けられ、液晶パネル１の金属フレーム及び回路ＧＮＤを導電性筐体６に接続している。
【０００９】
入力装置（透明デジタイザ）８は、その上面に保護ガラス７と一体となる様に貼り合わされ、筐体６の上面に載置し、ガラス押さえ１２で固定される。
従って、上面はガラスであるため、電気的に絶縁であり、電磁気的に遮蔽（シールド）効果はない。
【００１０】
アナログ−デジタル変換基板２では、外部パソコン（図示せず）などからアナログビデオ信号が、ケーブル介して入力され、液晶への表示データへ変換する。
すなわちアナログ−デジタル変換基板２に設けられている回路（図示せず）により、アナログ−デジタル変換し、高周波デジタル信号をデジタル信号伝送ケーブル３を介して、液晶パネル１へ送られる。高周波デジタル信号には、クロック，データ，同期信号が含まれ、繰り返し液晶パネルをスキャンしている。
【００１１】
そのため、不要輻射（ノイズ）は、アナログ−デジタル変換基板２及びデジタル信号伝送ケーブル３から放射され、液晶パネル１と導電性筐体６の側面のすき間より漏れ、不要輻射（ノイズ）Ａが発生する。
【００１２】
一方、液晶パネルは伝送された高周波デジタル信号から、液晶の各表示素子を駆動するためのパルスを発生するため、液晶表面からも、不要輻射（ノイズ）Ｂが発生する。
【００１３】
【発明が解決しようとする課題】
最近では、入力装置を液晶上面に搭載した液晶ディスプレイ装置の傾向としては、画面サイズの大型化に伴い、表示駆動周波数の高周波化が進み、不要輻射（ノイズ）は拡大傾向にある。また、１台の筐体に２台以上の液晶ディスプレイ装置を搭載する需要が増してきた。不要輻射（ノイズ）は発生部の面積で大きく左右されるため、対策を講じなければＥＭＣ基準レベル範囲内に収まらなくなってきた。
【００１４】
【課題を解決するための手段】
本発明は従来の問題に鑑みなされたもので、液晶パネルとアナログ−デジタル変換基板及び前記液晶パネルと前記アナログ−デジタル変換基板を接続するデジタル信号伝送ケーブルにおいて、前記液晶パネルと前記アナログ−デジタル変換基板を第一の導電性筐体に互いに逆方向に取り付け、回路基準電位と第一の導電性筐体を接地し、前記デジタル信号伝送ケーブルを第一の導電性筐体を貫通させ前記液晶パネルと前記アナログ−デジタル変換基板を接続し、前記アナログ−デジタル変換基板と前記デジタル信号伝送ケーブルとは、第二の導電性筐体で覆うことで、アナログ−デジタル変換基板及びデジタル信号伝送ケーブルから発生する不要輻射（ノイズ）が液晶パネルと筐体の側面のすき間から漏れることを防止する。
【００１５】
デジタル信号伝送ケーブルには、高周波成分減衰機能を有する磁性材リングを取り付け、高周波電流を減衰させ、液晶パネル自体から発生する不要輻射（ノイズ）を低減する。
【００１６】
デジタル信号伝送ケーブルに挿入する高周波成分減衰機能を有する磁性材リングは、アナログ−デジタル変換基板の近くに第一のリングを配置し、液晶パネルに近い位置に、第二のリングを配置することを特徴とするものである。
【００１７】
【発明の実施の形態】
大型化・高周波化した入力装置を液晶上面に搭載した液晶ディスプレイ装置に対し、表示前面に透明の導電膜を取り付け、その周囲は導電性筐体で覆い、導電膜と導電性筐体との間に導電性ゴムを挟みこみ接続することで、電磁気的に遮蔽することなく、不要輻射（ノイズ）を低減した入力装置を液晶上面に搭載した液晶ディスプレイ装置である。
【００１８】
【実施例】
以下、本発明の詳細を図１を参照して説明する。図１は、本発明による入力装置搭載の液晶ディスプレイ装置の構成を示す断面図である。尚、上記した従来技術の説明時に使用した図２と同一部分については、説明を割愛する。
入力装置搭載の液晶ディスプレイ装置１３Ａは、液晶パネル１及びアナログ−デジタル変換基板２及びデジタル信号伝送ケーブル３、また、タッチパネル制御基板（図示せず）が第一の導電性筐体９に取り付けられる。液晶パネル１は第１の導電性筐体９の上部に、導電性支持部材４を介して取り付け、一方、アナログ−デジタル変換基板２、タッチパネル制御基板（図示せず）は液晶パネル１は第１の導電性筐体９の下部に、導電性支持部材５を介して取り付いている。
【００１９】
いずれも回路の基準電位は第１の導電性筐体９と導電性支持部材４，５で接続され同電位となる。
入力装置（透明デジタイザ）８は、その上面に保護ガラス７を貼り合わせて、一体であり、第一の筐体９の上面に載置し、ガラス押さえ１２で固定される。従って、上面はガラスであるため絶縁であり、電磁気的に遮蔽（シールド）効果はない。
【００２０】
デジタル信号伝送ケーブル３には、高周波成分減衰機能を有する磁性材、例えば、フェライトリング１１ａｂが取り付けられている。フェライトリング１１ａは、アナログ−デジタル変換基板２の近くに配置し、フェライトリング１１ｂは、液晶パネル１に近い位置に配置し、アナログ−デジタル変換基板２と液晶パネル１を接続する。尚、アナログ−デジタル変換基板２と液晶パネル１の接続に際し、第一の導電性筐体９に孔１４を設け、これにデジタル信号電送ケーブル３を通すことにより行われる。
【００２１】
アナログ−デジタル変換基板２及びデジタル信号伝送ケーブル３側には、シールドするため第二の導電性筐体１０が第一の導電性筐体９に取り付けネジにより取り付けられ、アナログ−デジタル変換基板２及びデジタル信号伝送ケーブル３は電磁気的に遮蔽される。
【００２２】
上記のように、アナログ−デジタル変換基板２及びデジタル信号伝送ケーブル３から発生する不要輻射（ノイズ）Ａは第一の導電性筐体９と第二の導電性筐体１０に覆われるため、電磁気的に遮蔽される。液晶パネル１の表面から放射される不要輻射（ノイズ）Ｂは、アナログ−デジタル変換基板２からデジタル信号伝送ケーブル３を介して、液晶パネル１に高周波電流は流れ込むが、フェライトリング１１ａ、フェライトリング１１ｂによる高周波成分減衰機能により、液晶パネル１表面から発生する不要輻射（ノイズ）Ｂは減衰させることができる。
【００２３】
フェライトリング１１ａｂは、アナログ−デジタル変換基板２の近くに第一のリングを配置し、液晶パネルに近い位置に、第二のリングを配置することで高周波電流の発生源と受け側にそれぞれ配置することになり、反射波が減衰し、より、不要輻射（ノイズ）の発生を防止することとなる。
【００２４】
【発明の効果】
以上説明したように、液晶パネルとアナログ−デジタル変換基板及び前記液晶パネルと前記アナログ−デジタル変換基板を接続するデジタル信号伝送ケーブルにおいて、前記液晶パネルと前記アナログ−デジタル変換基板を第一の導電性筐体に互いに逆方向に取り付け、回路基準電位と第一の導電性筐体を接地し、前記デジタル信号伝送ケーブルを第一の導電性筐体を貫通させ前記液晶パネルと前記アナログ−デジタル変換基板を接続し、前記アナログ−デジタル変換基板と前記デジタル信号伝送ケーブルとは、第二の導電性筐体で覆い、デジタル信号伝送ケーブルに挿入する高周波成分減衰機能を有する磁性材リングは、アナログ−デジタル変換基板の近くに一つ目のリングを配置し、液晶パネルに近い位置に、二つ目のリングを配置することで、大型化・高周波化した入力装置搭載の液晶ディスプレイ装置の不要輻射（ノイズ）を低減することが可能となる。
また、１台の筐体に２台以上の液晶ディスプレイ装置を搭載する需要に対し、ＥＭＣ基準レベル範囲内に収めることが可能となる。
【図面の簡単な説明】
【　図１】本発明による入力装置搭載の液晶ディスプレイ装置の実施の形態の構成を示す断面図
【　図２】従来の入力装置搭載の液晶ディスプレイ装置の構成例を示す断面図
【符号の説明】
１　　液晶パネル
２　アナログ−デジタル変換基板
３　　デジタル信号伝送ケーブル
４　　導電性支持部材
５　　導電性支持部材
６　　導電性筐体
７　　強化ガラス
８　　透明デジタイザ
９　第一の導電性筐体
１０　第二の導電性筐体
１１ａ第一のフェライトリング
１１ｂ第二のフェライトリング
１２　ガラス押さえ金具
１３，１３Ａ　入力装置搭載の液晶ディスプレイ装置
１４　第１の導電性筐体９の孔
Ａ　　液晶パネルと板金のすき間から放射される不要輻射ノイズ
Ｂ　液晶パネル表面から放射される不要輻射ノイズ
【図１】
2004039668.tif 000003
【図２】
2004039668.tif 000004